(57)【要約】【課題】 室内の有害な化学物質や人間、ペット、洗濯物などの臭いを除去することができる室内物干しを提供する。【解決手段】 室内用の物干しの表面に光触媒層を形成させることで、室内空気中の有害物質や悪臭物質を効率良く取り除くことができるとともに、それらの物質が乾燥中の衣服へ付着することを防ぐことができ、かつ、室内物干し自体の表面を清潔に保つことができる。また、光触媒と有害物質や悪臭物質などを吸着する吸着物質とを同時に用いることで、前記物質を効率よく吸着し、光触媒で分解除去することができるとともに、吸着した物質を光触媒が分解するため、吸着性能は回復し、半永久的に吸着を行うことができる。【特許請求の範囲】
【請求項１】
表面に光触媒含有層が設けられていることを特徴とする室内物干し。
【請求項２】
光触媒含有層は、光触媒を含有した塗膜であることを特徴とする請求項１に記載の室内物干し。
【請求項３】
光触媒含有層は、光触媒を含有した樹脂被覆層であることを特徴とする請求項１に記載の室内物干し。
【請求項４】
光触媒は、光触媒微粒子の表面に多孔質の無機物質を付着したものからなることを特徴とする請求項１〜３のいずれか１項に記載の室内物干し。
【請求項５】
光触媒は、可視光領域においても励起可能な可視光応答型であることを特徴とする請求項１〜４のいずれか１項に記載の室内物干し。
【発明の詳細な説明】
【技術分野】
【０００１】
本発明は、室内における不快な臭いやシックハウス症候群などの原因物質となる有害な有機化合物等を分解除去できるとともに抗菌、防汚などの機能をもつ室内環境に配慮した室内物干しに関するものである。
【背景技術】
【０００２】
光触媒には光の照射により酸化還元作用が発生することが知られており、様々な分野で使われている。例えば、その強力な酸化力をもちいて、細菌を分解したりその繁殖を抑えたり、悪臭物質や汚れ物質、有害物質などの有機物質を分解することができる。また、その還元作用により、光触媒を担持した表面を超親水性とすることができ、水に対する濡れ性を非常に高くすることで、表面に付着した汚れを水で簡単に洗い流すことができるようにできる。
【０００３】
近年の建築技術の進化により、室内環境は、いちだんと密閉化が進んでいる。それとともに、建築材料に用いた微量の有機化合物が原因のシックハウス症候群や化学物質アレルギーなどが問題となっている。また、直接的に不快感を感じる臭いについても、建造物の密閉性が故に室内にこもりやすく、例えば体臭やペット臭などが問題となっている。
【０００４】
これらの化学物質や異臭を解消する方法としては、化学物質が使われていない建材を用いるなど根本的な解決をする方法や、消臭材、換気設備を設置したり、空気清浄機等を導入して放出された物質や臭いに対して対処する方法が一般的である。（例えば特許文献１〜３）
【０００５】
また一方、高層マンション等の普及や屋外環境の悪化に伴ない、室内に洗濯物を干す機会が増加しており、近年、室内物干しが広く一般の家庭に普及している。これらの物干し用品は、その機能付加価値として、抗菌素材を用いているものなども多く見られる。
【０００６】
【特許文献１】特開２００２−２０１６４号公報
【特許文献２】特開２００１−３３６２２７号公報
【特許文献３】特開２００１−３１４７６０号公報
【発明の開示】
【発明が解決しようとする課題】
【０００７】
しかしながら、有害な有機化合物の用いられていない建材などは、新築や改築する分には非常に有効であるが、既存の建造物屋内環境を改善する方法としては現実性に乏しい。また、換気設備や空気清浄機などの導入は効果的ではあるが、費用が高く、電気代や消耗品などのランニングコストも大きい。
【０００８】
また、これらの室内環境で干された洗濯物は、当然のことながらその空気中の悪臭や化学物質を吸着してしまいそれを身につける人にとっても快適でない。さらに、干された当初の洗濯物は多量に水分を含んでおり、前記のような物質を吸着しやすいとともに、カビの発生や細菌の繁殖が懸念され、また洗濯物自身の生乾きの臭いの元となる問題がある。
【０００９】
そこで本発明は上記の如き問題点に鑑みてなされたものであり、室内の有害な化学物質や人間、ペット、洗濯物などの臭いを除去することができる室内物干しであり、かつ、物干し自身のカビや細菌の繁殖を抑え、清潔に保つることができる室内物干しを提供せんとするものである。
【課題を解決するための手段】
【００１０】
上記課題を解決するために、本発明者は鋭意研究した結果、室内用の物干しの表面に光触媒層を形成させることで、室内空気中の有害物質や悪臭物質を効率良く取り除くことができるとともに、それらの物質が乾燥中の衣服へ付着することを防ぐことができ、かつ、室内物干し自体の表面を清潔に保つことができることを知得し、光触媒含有層が表面に設けられた室内物干しを提供せんとするものである。
【００１１】
上記目的を達成するために、本発明は次のような構成としている。すなわち表面に光触媒含有層が設けられていることを特徴とするものである。
【００１２】
室内物干しの表面に光触媒を含有する層を形成することで、物干し表面に紫外線が当たることによって酸化分解機能を発現させることができる。光触媒には代表的なものとして、二酸化チタンや酸化亜鉛等が挙げられる。その中でも二酸化チタンは化学的に安定であり光触媒として好適に用いられている。二酸化チタンはルチル型でもよいが、活性の高さからアナターゼ型のものが好ましい。この二酸化チタンに波長領域が３００〜４００ｎｍ付近の紫外光が照射されると、活性化されて強い酸化力が発現し、表面付近の有害物質や悪臭物質、細菌やカビ、汚れなどの有機物質が分解され、有害物質や悪臭物質などは室内から除去される。
【００１３】
また、物干し表面に前記の光触媒層が形成されていることで、物干し付近の分解除去効果が高く、物干しに干されている洗濯物への有害物質の付着を好適に防止することができる。また、逆に洗濯物に起因する臭いや細菌、例えば生乾き臭などを効率的に除去することができ、細菌の繁殖を防止することができる。また、物干しについた指紋などの汚れを分解して、表面を清潔かつ清浄に保つことができる。
【００１４】
また、光触媒含有層は、光触媒を含有した塗膜であることを特徴とするものである。
【００１５】
光触媒を含む塗料を塗装して物干し表面に塗膜を形成させることで光触媒層を形成させれば、非常に簡便に光触媒層を設けることができる。塗装による方法では、塗装対象の形状があまり限定されないので、様々な形状の物干しに適用することができる。光触媒は、有機物を分解することのできる性質があるので、樹脂被覆等の有機物の上に塗装する場合は、下塗りとして、酸化分解されにくい無機系の塗料を塗装しておくと良く、例えばシリコン系の塗料などが好適に用いられる。
【００１６】
また、光触媒塗料に有害物質や悪臭物質などを吸着する吸着物質を配合しているとよい。有害物質や悪臭物質は、空気中に分散しており、これらの物質を分解するためには、表面に捕捉する必要がある。これらの物質を吸着するような物質を配合しておけば、化学物質や悪臭物質を捕捉して、捕捉した物質を光触媒の分解性能で分解するようにでき、分解除去効率を向上させることができる。通常吸着物質は、いったん吸着してしまうとそれ以上は吸着しないが、吸着した物質を光触媒が分解するため、吸着性能は回復し、半永久的に吸着を行うことができる。
【００１７】
配合する吸着物質には、たとえば物理吸着や化学吸着物質があり、特に限定されるものではない。物理吸着物質は、たとえば活性炭やゼオライトなどの微細孔をもつものがある。また、化学吸着物質物質は、表面に化学的な官能基を持ち、それらが、空気中の物質と化学的に結びつくことにより、それらを捕捉するものである。
【００１８】
塗装の方法は特に限定されるものではなく、ディップコーティング、エアースプレーコーティング、エアレススプレーコーティング、フローコーティング、はけ塗り等を用いることができるが、複雑な形状を考慮すると、エアースプレーや刷毛塗りを用いるのがよい。
【００１９】
また、光触媒含有層は、光触媒を配合した樹脂を被覆した樹脂被覆層であることを特徴とするものである。
【００２０】
物干しのパイプ部分は、金属パイプに樹脂被覆を施すことで、防錆性や意匠性を高めることができる。このような樹脂被覆パイプは、金型内を一定速度でパイプを移行させて、その周囲に溶融させた樹脂を一定速度で押出成形しながらパイプ表面に被覆することによって形成される。このとき、被覆する樹脂に光触媒を配合しておくことによって、光触媒含有層をパイプの表面に設けることができる。
【００２１】
また押出成形される樹脂被覆層は、二層以上の複数層になっていてもよく、最表面層に光触媒が配合されていれば良い。このようにすれば、配合する光触媒の量を減らすことができる。
【００２２】
また、光触媒は、光触媒微粒子の表面に多孔質の無機物質を付着したものからなることを特徴とするものである。
【００２３】
被覆層が樹脂であるため、光触媒の分解性によって被覆層の樹脂を少なからず分解してしまう可能性がある。したがって、好ましくは光触媒の表面に光触媒活性によって分解されない保護層を形成し、樹脂と光触媒が直接触れないようにすると良い。当然のことながら、光触媒を完全に覆ってしまうと光触媒の分解活性は発現しないため、光触媒と樹脂被覆層の樹脂とが触れない程度に光触媒の表面が露出するようにすればよい。たとえば光触媒の表面を、光触媒により分解されない無機物質で網の目状に覆うなどするとよい。
【００２４】
光触媒の表面の保護層の物質は、例えばアパタイトやシリカ多孔質等を用いることができる。アパタイトは細菌やウイルス等に対する吸着能に優れており、また、悪臭物質や有害な有機化合物などを吸着する能力を持っている。アパタイトを保護膜として用いることによって、光触媒との相乗作用により清浄、消臭効果が飛躍的に向上する。また、このアパタイトの保護層には、他の吸着物質やセラミックスなどとアパタイトとの複合層としてもよい。
【００２５】
また、光触媒は、可視光領域においても励起可能な可視光応答型であることを特徴とするものである。
【００２６】
光触媒として酸化チタンを用いる場合、その酸化チタンが光触媒性能を発揮するのは紫外線に対してのみである。蛍光灯などの室内灯にも極僅かながら紫外線が混入しており、光触媒活性は発現するが、その発現性能は大きくない。本発明に用いる光触媒を可視光応答型にすることによって、室内でも良好に酸化分解能力を発現でき、有害物質や悪臭物質を分解することができる。可視光応答型酸化チタン光触媒には、酸化チタン上に色素を吸着させ可視光 を吸収して生じた吸着色素の励起状態から酸化チタンへ電子を注入するようにしたもの、Ｃｒ，Ｖ，Ｍｎ，Ｆｅ，Ｎｉなどの金属イオンを化学的に注入したもの、プラズマ照射等によって酸素欠陥を導入したもの、異種イオンを導入したものがあり、その種類は問わない。
【発明の効果】
【００２７】
本発明によれば、室内用の物干しの表面に光触媒層を形成させることで、室内空気中の有害物質や悪臭物質を効率良く取り除くことができるとともに、それらの物質が乾燥中の衣服へ付着することを防ぐことができ、かつ、室内物干し自体の表面を清潔に保つことができる。
【００２８】
このとき、光触媒層を光触媒含有塗料を用いた塗膜とすることで、非常に簡便に光触媒層を設けることができる。塗装による方法では、塗装対象の形状があまり限定されないので、様々な形状の物干しに適用することができる。また、光触媒塗料に有害物質や悪臭物質などを吸着する吸着物質を配合しておくことで、前記物質を効率よく吸着し、光触媒で分解除去することができるとともに、吸着した物質を光触媒が分解するため、吸着性能は回復し、半永久的に吸着を行うことができる。
【００２９】
また、光触媒層を光触媒含有の樹脂被覆層とすることで、光触媒を表面に担持させることができるとともに樹脂被覆により、意匠性や手触りなども向上させることができる。また、押出成形される樹脂被覆層は、二層以上の複数層になっていてもよく、最表面層に光触媒が配合されていれば良い。このようにすれば、配合する光触媒の量を減らすことができる。このとき、光触媒の表面にアパタイトによる保護層を形成しておくことで、樹脂と光触媒が直接触れないようにして、樹脂層が光触媒により分解されないようにすることができるとともにアパタイトの吸着性能で、効率的に有害物質や悪臭物質を吸着し、分解することができる。
【発明を実施するための最良の形態】
【００３０】
本発明に係わる実施の形態について、図面に基づき以下に具体的に説明する。図１は、室内物干しの一例を示したものである。このような室内物干し１の表面に光触媒含有層を設けることによりシックハウス症候群の原因となる化学物質や臭いの原因となる物資、汚れ成分などを分解する性能を付加することができる。
【００３１】
また、図２は本発明の室内物干しを構成する部材の一形態を示す表面付近の断面図であり、光触媒塗料を塗布することにより光触媒含有塗膜を形成して光触媒含有層としたものである。物干し部材１１上には光触媒の活性により物干し部材が分解されないように下塗り層２１が形成され、前記下塗り層の上に光触媒含有塗膜２２が形成されている。
【００３２】
下塗り層は、酸化分解されにくい無機系の塗料を塗装するのがよく、シリコン系の塗料などが好適に用いられる。また、光触媒含有塗膜は、特に限定されるものではないが、シリコンやその他無機系塗料に酸化チタンを配合したもの、セメント系の塗料に酸化チタンを配合させたもの、ゾルーゲル反応によるシリカ膜に酸化チタンを配合させたものや、アモルファス酸化チタン膜などを用いるとよく、前記塗料等に活性炭やゼオライトなどの物理吸着物質や化学吸着物質等の吸着物資を配合して有害物質や悪臭物質などの捕捉を促進してもよい。また、塗膜の表面を多孔質とするような塗膜構成としてもよい。
【００３３】
また、図３は、本発明の室内物干しを構成する部材の他の一形態を示す表面付近の断面図であり、物干しを構成するおもにパイプ部分に、光触媒を含む樹脂層を押出成形により形成したものである。物干し部材１１上に光触媒微粒子３０が分散した樹脂層２３が形成され、その光触媒微粒子の一部が、樹脂層２３の表面より露出しており、その部分に光が当たることによって、光触媒の分解活性が発現する。樹脂層に用いる樹脂材料は特に限定されるものではないが、オレフィン系樹脂、ポリ塩化ビニル、ＡＢＳ樹脂、ポリアミド、アクリル樹脂等が好適に用いられる。
【００３４】
また、光触媒微粒子は、アナターゼ型の酸化チタンの表面を、アパタイトが網の目状に覆っているものを用いてもよい。このアパタイトにより、光触媒微粒子と樹脂層が直接接触せず、光触媒の酸化分解活性により、樹脂被覆層が分解されるのを防ぐことができる。
【図面の簡単な説明】
【００３５】
【図１】本発明品の実施の一形態を示す概略図である。
【図２】本発明の実施の一形態であり、表面付近の断面を拡大した概略図である。
【図３】本発明の実施の一形態であり、表面付近の断面を拡大した概略図である。
【符号の説明】
【００３６】
１    室内物干し
２１  下塗り塗膜
２２  光触媒含有塗膜
２３  光触媒含有樹脂層
３０  光触媒微粒子
【図１】
2005052275.tif 000002
【図２】
2005052275.tif 000003
【図３】
2005052275.tif 000004